(57)【要約】【課題】  発信者が呼び出したい相手が、通常内線端末を使用している場所にいない時、別の場所で内線着信に応答することができるロケーションフリー内線電話システムを提供する。【解決手段】  主装置と複数の内線端末から成る電話システムであって、前記主装置は、前記内線端末使用者に関する情報の蓄積手段と、前記内線端末に関する情報の蓄積手段を具備し、前記内線端末は、割当中の内線番号を記憶する内部メモリを具備し、前記内線端末が操作された時、当該端末は当該端末を操作している個人の認証情報を取得し、その認証情報を前記主装置へ送信し、前記主装置は、前記認証情報及び前記主装置に蓄積されている内線端末使用者に関する情報の内線番号を検索し、検索した内線番号を前記内線端末使用者が操作した内線端末に自動的に割り当てることを特徴とする。【選択図】  図１
2008177884.tif 000002
【特許請求の範囲】
【請求項１】
外線及び内線を収容する主装置と前記主装置に帰属する内線端末から成る電話システムであって、
前記主装置は、
前記内線端末使用者に関する情報の蓄積手段と、前記内線端末に関する情報の蓄積手段を具備し、
前記内線端末は、
固定的な内線番号を記憶する固定内線番号記憶手段と所定の一時的な内線番号を記憶する一時内線番号記憶手段と、特定の操作があった時当該端末を操作している操作者の認証情報を取得してその認証情報を前記主装置へ送信する手段を具備し、
前記主装置は、前記認証情報を受信した場合、前記認証情報と予め対応付けて登録されている内線端末使用者の内線番号を検索し、前記認証情報を送信した内線端末に前記検索した内線番号を割り当てると共に、前記固定的な電話番号または前記一時的な電話番号への着信があった場合、当該電話番号が割り当てられている内線端末を呼び出すことを特徴とするロケーションフリー内線電話システム。
【請求項２】
請求項１に記載のロケーションフリー内線電話システムであって、
前記内線端末使用者に関する情報の蓄積手段は、当該端末使用者の認証情報と名前と当該端末使用者固有の内線番号と当該端末使用者固有の転送先電話番号を管理するデータベースを具備し、
前記内線端末に関する情報の蓄積手段は、当該内線端末をアクセスするアドレスデータと当該内線端末に割当中の内線番号を管理するデータベースを具備し、前記内線端末の内部メモリは、当該端末に割当中の内線番号を記憶することを特徴とするロケーションフリー内線電話システム。
【請求項３】
請求項１に記載のロケーションフリー内線電話システムであって、
前記内線端末に関する情報の蓄積手段は、
前記内線端末使用者に関する情報の蓄積手段に蓄積されている内線番号が、割当中の内線番号として情報が蓄積されていない状態で前記内線端末使用者の内線番号への着信があった場合、前記内線端末使用者に関する情報の蓄積手段に登録されている転送先電話番号へ自動的に当該着信を転送することを特徴とするロケーションフリー内線電話システム。
【請求項４】
請求項１に記載のロケーションフリー内線電話システムであって、
前記内線端末に関する情報の蓄積手段の、割当中の内線番号として内線番号が蓄積されている場合、前記主装置が前記割当中の内線番号を持つ内線端末から前記内線端末使用者の入力する認証情報を受け付けることで、前記割当中の内線番号を前記内線端末に関する情報の蓄積手段から自動的に削除することを特徴とするロケーションフリー内線電話システム。
【発明の詳細な説明】
【技術分野】
【０００１】
本発明は、外線と内線を収容する主装置と複数のＩＰ内線端末から成る電話システムに関する。
【背景技術】
【０００２】
ユニークな内線番号を取得することができる内線番号自動割当システムがすでに開示されている（例えば、特許文献１参照）。
この内線番号自動割当システムでは、ＩＰ電話が使用可能なＮ個のコンピュータが固有ＩＤを保持し、固有ＩＤを含む割当要求をＳＩＰサーバに送信し、ＳＩＰサーバは、Ｎ個の割当要求に含まれる固有ＩＤのそれぞれに対して、各々異なるＮ個の内線番号を割り当て、Ｎ個の固有ＩＤとＮ個の内線番号とを割当用データベースを参照して、それぞれ、Ｎ個の内線番号を含む内線番号応答とをＮ個のコンピュータに通知する。
【０００３】
【特許文献１】特開２００６―１８０４１５号公報
【発明の開示】
【発明が解決しようとする課題】
【０００４】
上記特許文献１では、ＩＰ電話が使用可能なＮ個のコンピュータにユニークな内線番号が自動的に割り当てられ、内線通話を行うことができるが、内線番号が自動的に割り当てられた後、別のコンピュータにその内線番号をコンピュータの使用者が自由に割り当ての変更をすることができない。例えば、内線着信時に発信者が呼び出したい相手が所属する部署に不在で他の場所にいる場合、着信応答することができない。本来のコンピュータの使用者でない者が着信応答した場合、別の場所にいる、発信者が呼び出したい相手に内線着信を転送する必要がある。この「内線着信応答後、内線着信を転送する」操作は、着信応答者の手を煩わせ、手間である。そこで、本発明の課題は、発信者が呼び出したい相手が通常使用している内線端末を使用出来る場所にいない時に、別の場所で内線着信に応答できるようにすることができるロケーションフリー内線電話システムを提供することにある。
【課題を解決するための手段】
【０００５】
第１の本発明は、外線及び内線を収容する主装置と前記主装置に帰属する内線端末から成る電話システムであって、
前記主装置は、
前記内線端末使用者に関する情報の蓄積手段と、前記内線端末に関する情報の蓄積手段を具備し、
前記内線端末は、
固定的な内線番号を記憶する固定内線番号記憶手段と所定の一時的な内線番号を記憶する一時内線番号記憶手段と、特定の操作があった時当該端末を操作している操作者の認証情報を取得してその認証情報を前記主装置へ送信する手段を具備し、
前記主装置は、前記認証情報を受信した場合、前記認証情報と予め対応付けて登録されている内線端末使用者の内線番号を検索し、前記認証情報を送信した内線端末に前記検索した内線番号を割り当てると共に、前記固定的な電話番号または前記一時的な電話番号への着信があった場合、当該電話番号が割り当てられている内線端末を呼び出すことを特徴とする。
【０００６】
第２の本発明は、
第１の本発明において、
前記内線端末使用者に関する情報の蓄積手段は、当該端末使用者の認証情報と名前と当該端末使用者固有の内線番号を管理するデータベースを具備し、
前記内線端末に関する情報の蓄積手段は、当該内線端末をアクセスするアドレスデータと当該内線端末に割当中の内線番号を管理するデータベースを具備し、
前記内線端末の内部メモリは、当該端末に割当中の内線番号を記憶することを特徴とする。
【０００７】
第３の本発明は、
第１の本発明において、
前記内線端末に関する情報の蓄積手段は、
前記内線端末使用者に関する情報の蓄積手段に蓄積されている内線番号が、割当中の内線番号として情報が蓄積されていない状態で前記内線端末使用者の内線番号への着信があった場合、前記内線端末使用者に関する情報の蓄積手段に登録されている転送先電話番号へ自動的に当該着信を転送することを特徴とする。
【０００８】
第４の本発明は、
第１の本発明において、
前記内線端末に関する情報の蓄積手段の、割当中の内線番号として内線番号が蓄積されている場合、前記主装置が前記割当中の内線番号を持つ内線端末から前記内線端末使用者の入力する認証情報を受け付けることで、前記割当中の内線番号を前記内線端末に関する情報の蓄積手段から自動的に削除することを特徴とする。
【発明の効果】
【０００９】
本発明によれば、発信者が呼び出したい相手の内線番号、すなわちＩＰ内線端末使用者の個人に予め割り当てられた内線番号をダイヤルすることにより、着信で呼び出される個人が、通常使用しているＩＰ内線端末を使用することができない場所においても、ＩＰ内線端末使用者に関する情報の蓄積手段に登録されている転送先電話番号に着信が自動的に転送されることで、発信者が呼び出したい相手がどこにいても呼び出すことができるロケーションフリー内線電話システムを得ることができる。さらに、同一の電話機に複数の内線番号を設定することが出来るため、１台のＩＰ内線端末を複数人で着信側の電話機として、使用することも出来る。
【発明を実施するための最良の形態】
【００１０】
着信応答者が様々な場所へ移動する場合、例えば、着信応答者が所属する自部署から打ち合わせのために他部署へ移動した場合、また、着信応答者が出社していない状態における、本発明の実施の形態について図面を参照して説明する。
【００１１】
図１は、本発明の実施例に係るロケーションフリー内線電話システムの構成を示す図である。会社の事務所に、主装置１０を設置し、自部署にＩＰ内線端末Ａ２０−１を設置し、他部署ＢにＩＰ内線端末Ｂ２０−２を設置し、他部署ＣにＩＰ内線端末Ｃ２０−３を設置し、他部署ＤにＩＰ内線端末Ｄ２０−４を設置し、会社の社内ネットワーク外の個人が所有する外線端末６０が存在する場合について説明する。
【００１２】
主装置１０は、公衆網５０に接続される外線インターフェース部１１と、外線インターフェース部１１に接続される主制御部１２と、主制御部１２に接続されるＬＡＮインターフェース部１４と、
主制御部１２に接続され且つ
ＩＰ内線端末使用者に関する情報を蓄積するデータベースＡ１０１と
ＩＰ内線端末に関する情報を蓄積するデータベースＢ１０２を有する主記憶部１３を
具備する。
【００１３】
次に、図１の主装置１０の内部のデータベースＡ１０１のデータ構造の１例を図２に示す。本データベースは、ＩＰ内線端末使用者に関する情報を登録（蓄積）する。本例では、レコード番号７０、認証情報７１、名前７２、内線番号７３、転送先電話番号７４を関連付けて１レコードとする。データベース管理者は、前記データベースＡ１０１のデータを登録／削除して管理する。
認証情報７１の例としてパスワードを登録するが、前記パスワードは全て異なり、同一のものは、存在しないものとする。認証情報７１は、パスワードに限らず、指紋や声紋等の認証情報でも良い。
【００１４】
レコード番号７０は、前記１レコード単位に一意に割り当てられる。システム使用者を識別する認証情報７１には、被認証者毎のパスワードが登録される。
名前７２には、システム使用者の名前が登録される。システム使用者毎に割り当てられる内線番号７３には、例えば、社員番号の一部を利用した番号が登録される。
転送先電話番号７４には、データベースＡ１０１の内線番号７３がデータベースＢ１０２の割当中の内線番号８２に登録されていない番号への内線着信があった場合に、外線捕捉し、外線転送する転送先の電話番号が登録される。
【００１５】
次に、図１の主装置１０の内部のデータベースＢ１０２のデータ構造の例を図３に示す。本データベースは、ＩＰ内線端末に関する情報を登録（蓄積）する。本例では、項番８０、ＩＰアドレス８１、割当中の内線番号８２を関連付けて１レコードとしてデータ管理する。
【００１６】
ＩＰ内線端末Ａ２０−１は、主制御部２１に接続される内部メモリ２２-１と、ＬＡＮインターフェース部２３を具備する。
【００１７】
次に、ＩＰ内線端末Ａ２０−１の内部メモリ２２−１のデータ構造の例を図４に示す。前記内部メモリ２２−１は、ＩＰ内線端末ＡのＩＰアドレス９０−１と、前記ＩＰ内線端末Ａ２０−１に割当中の内線番号９１−１を具備する。内線番号９１−１は、前記ＩＰ内線端末Ａ２０−１の固有電話番号Ａと複数の内線番号を記憶することができる。
ＩＰ内線端末Ｂ２０−２とＩＰ内線端末Ｃ２０−３とＩＰ内線端末Ｄ２０−４も前記ＩＰ内線端末Ａ２０−１と同様に内部メモリを持つ。
ＩＰ内線端末Ｂ２０−２は、ＩＰ内線端末ＢのＩＰアドレス９０−２と、前記ＩＰ内線端末Ｂ２０−２に割当中の内線番号９１−２を具備する。内線番号９１−２は、前記ＩＰ内線端末Ｂ２０−２の固有電話番号Ｂと複数の内線番号を記憶することができる。
ＩＰ内線端末Ｃ２０−３は、ＩＰ内線端末ＣのＩＰアドレス９０−３と、前記ＩＰ内線端末Ｃ２０−３に割当中の内線番号９１−３を具備する。内線番号９１−３は、前記ＩＰ内線端末Ｃ２０−３の固有電話番号Ｃと複数の内線番号を記憶することができる。
ＩＰ内線端末Ｄ２０−４は、ＩＰ内線端末ＤのＩＰアドレス９０−４と、前記ＩＰ内線端末Ｄ２０−４に割当中の内線番号９１−４を具備する。内線番号９１−４は、前記ＩＰ内線端末Ｄ２０−４固有の電話番号Ｄと複数の内線番号を記憶することができる。
【００１８】
複数のＩＰ内線端末には、同一の内線番号は設定出来ないため、前記同一の内線番号は、あとから別のＩＰ内線端末において内線番号を設定する操作をしたＩＰ内線端末のほうが有効となり、それ以前に設定した内線番号はシステム上の他のＩＰ内線端末から削除される。
【００１９】
次に、図５と図６に示すフローチャート図を参照し、ＩＰ内線端末使用者としてデータベースＡ１０１への登録済者がＩＰ内線端末Ａ２０−１を使用開始／使用停止する時のＩＰ内線端末Ａ２０−１と主装置１０の動作の流れを説明する。
【００２０】
ＩＰ内線端末Ａ２０−１は、ＩＰ内線端末使用者のパスワード入力があるかを検出し（Ｓ１０１）、入力がある場合、ＩＰ内線端末Ａ２０−１使用者のパスワードと前記パスワードを検出したＩＰ内線端末Ａ２０−１のＩＰアドレスを主装置１０へ送信する（Ｓ１０２）。
【００２１】
主装置１０は、図１の主制御部１２において、ＩＰ内線端末Ａ２０−１から受信したパスワードは、主装置のデータベースＡ１０１内に一致するものが登録されているか、いないかを検索する（Ｓ１０３）。
【００２２】
検索の結果、一致するものが登録されていない場合、主装置１０は、ＩＰ内線端末Ａ２０−１に対してＩＰ内線端末使用者のパスワード再入力を要求する（Ｓ１０４）。検索の結果、一致するものが登録されている場合は、受信したＩＰ内線端末使用者のパスワードと同一レコードに登録されている内線番号をデータベースＡ１０１から検索する（Ｓ１０５）。
【００２３】
データベースＢ１０２内において、ＩＰ内線端末Ａ２０−１から受信したＩＰ内線端末自身のＩＰアドレスとデータベースＡ１０１内から検索した内線番号と関連付いたデータが有るかを検索する（Ｓ１０６）。
【００２４】
検索（Ｓ１０６）の結果、前記ＩＰアドレスと前記内線番号がデータベースＢ１０２内で関連付いたデータが有る場合（Ｓ１０７）、主装置１０は、検索した内線番号をデータベースＢ１０２から削除し（Ｓ１１０）、データベースＢ１０２から削除した内線番号の消去要求をＩＰ内線端末Ａ２０−１へ送信する（Ｓ１１１）。主装置１０から内線番号の消去要求を受信したＩＰ内線端末Ａ２０−１は、主装置１０から消去を要求された内線番号をＩＰ内線端末Ａ２０−１の内部メモリ２２−１から消去する（Ｓ１１２）。
【００２５】
検索（Ｓ１０６）の結果、前記ＩＰアドレスと前記内線番号がデータベースＢ１０２内で関連付いたデータが無い場合（Ｓ１０７）、主装置１０は、データベースＡ１０１から検索した内線番号をＩＰ内線端末Ａ２０−１から受信したＩＰアドレスと関連付けてデータベースＢ１０２へ登録し（Ｓ１０８）、データベースＢ１０２へ登録した内線番号をＩＰ内線端末Ａ２０−１へ送信する（Ｓ１０９）。主装置１０から内線番号を受信したＩＰ内線端末Ａ２０−１は、主装置１０から受信した内線番号をＩＰ内線端末Ａ２０−１の内部メモリ２２−１に記憶する（Ｓ１１３）。
【００２６】
次に、図７に示すフローチャート図を参照し、ＩＰ内線端末使用者としてデータベースＡ１０１への登録済者がＩＰ内線端末Ａ２０−１の使用を停止中にしている時、すなわちデータベースＢ１０２において、データベースＡ１０１への登録済者の内線番号が割当中の内線番号として登録されていない時、その登録済者へ内線着信があった場合の主装置１０の動作の流れを説明する。
【００２７】
主装置１０はＩＰ内線端末Ｂ３０−１から着信を受け付ける（Ｓ２０１）。主装置１０は、着信を受け付けた相手の内線番号がデータベースＢ１０２にあるか検索する（Ｓ２０２）。
【００２８】
データベースＢ１０２を検索の結果、該当する内線番号が有る場合、主装置１０は、該当するＩＰ内線端末Ａ２０−１を呼び出す（Ｓ２０３）。
【００２９】
データベースＢ１０２を検索の結果、該当する内線番号が無い場合、主装置１０は、データベースＡ１０１内に該当する内線番号７３が有るか検索する（Ｓ２０４）。
【００３０】
データベースＡ１０１を検索の結果、該当する内線番号７３が無い場合、主装置１０は、内線発信したＩＰ内線端末Ｂ３０−１に対して話中音を送出する（Ｓ２０８）。
【００３１】
データベースＡ１０１を検索の結果、該当する内線番号が有る場合、主装置１０は、データベースＡ１０１において、該当する内線番号７３と同一レコードに設定された転送先電話番号７４が有るか検索する（Ｓ２０５）。
【００３２】
検索（Ｓ２０５）の結果、転送先電話番号７４が有る場合、主装置１０は、転送先電話番号へ外線発信する（Ｓ２０６）。
【００３３】
検索（Ｓ２０５）の結果、転送先電話番号７４が無い場合、主装置１０は、留守応答する（Ｓ２０７）。主装置１０は前記留守応答の他に所定の機能が動作しても良い。
【図面の簡単な説明】
【００３４】
【図１】本発明の実施例に係るロケーションフリー内線電話システムの構成を示す図である。
【図２】図１の主装置の内部のデータベースＡのデータ構成（ＩＰ内線端末使用者に関する情報）の１例を示す図である。
【図３】図１の主装置の内部のデータベースＢのデータ構成（ＩＰ内線端末に関する情報）の１例を示す図である。
【図４】図１のＩＰ内線端末の内部メモリに記憶されている情報の１例を示す図である。
【図５】ＩＰ内線端末使用者としてデータベースＡへの登録済者がＩＰ内線端末を使用開始／使用停止する時のＩＰ内線端末と主装置の動作フローチャート図である。
【図６】図５の動作フローチャート図の続きの図である。
【図７】ＩＰ内線端末使用者としてデータベースＡへの登録済者がＩＰ内線端末の使用を停止中にしている時、その登録済者へ内線着信があった場合の主装置動作の詳細フローチャート図である。
【符号の説明】
【００３５】
１０：主装置、１１：外線インターフェース部、１２：主制御部、１３：主記憶部、１４：ＬＡＮインターフェース部、２０−１：ＩＰ内線端末Ａ、２０−２：ＩＰ内線端末Ｂ、２０−３：ＩＰ内線端末Ｃ、２０−４：ＩＰ内線端末Ｄ、２１：主制御部、２２−１：内部メモリ、２３：ＬＡＮインターフェース部、５０：公衆網、６０：外線端末、１０１：データベースＡ、１０２：データベースＢ。
【図１】
2008177884.tif 000003
【図２】
2008177884.tif 000004
【図３】
2008177884.tif 000005
【図４】
2008177884.tif 000006
【図５】
2008177884.tif 000007
【図６】
2008177884.tif 000008
【図７】
2008177884.tif 000009